(57)【要約】      （修正有）【課題】マスクを装着時に耳かけ紐によって生じる耳の傷みを防止すること及びマスクがずれるのを防止するマスク装着補助器を提供する。【解決手段】マスク１の耳かけ紐２がかけられるジグザグ形状部４があることを特徴とした針金で出来た線状の輪状物３であることを特徴とする。【選択図】図１
0003192637.tif 000002
【実用新案登録請求の範囲】
【請求項１】
針金をマスクの耳かけ紐がかけられるジグザグ形状部がある線状の輪状物に加工する。
【請求項２】
プラスチックをマスクの耳かけ紐がかけられるジグザグ形状部がある線状の輪状物に加工する。
【請求項３】
ゴムをマスクの耳かけ紐がかけられるジグザグ形状部がある線状の輪状物に加工する。
【請求項４】
シリコンゴムをマスクの耳かけ紐がかけられるジグザグ形状部がある線状の輪状物に加工する。
【請求項５】
樹脂をマスクの耳かけ紐がかけられるジグザグ形状部がある線状の輪状物に加工する。
【請求項６】
金属をマスクの耳かけ紐がかけられるジグザグ形状部がある線状の輪状物に加工する。
【請求項７】
ビニールをマスクの耳かけ紐がかけられるジグザグ形状部がある線状の輪状物に加工する。
【請求項８】
カーボンナノチューブをマスクの耳かけ紐がかけられるジグザグ形状部がある線状の輪状物に加工にする。
【請求項９】
グラスファイバーをマスクの耳かけ紐がかけられるジグザグ形状部がある線状の輪状物に加工する。
【請求項１０】
針金をマスクの耳かけ紐がかけられるジグザグ形状部がある線状のＣ字形輪状物に加工する。
【請求項１１】
プラスチックをマスクの耳かけ紐がかけられるジグザグ形状部がある線状のＣ字形輪状物に加工する。
【請求項１２】
ゴムをマスクの耳かけ紐がかけられるジグザグ形状部がある線状のＣ字形輪状物に加工する。
【請求項１３】
シリコンゴムをマスクの耳かけ紐がかけられるジグザグ形状部がある線状のＣ字形輪状物に加工する。
【請求項１４】
樹脂をマスクの耳かけ紐がかけられるジグザグ形状部がある線状のＣ字形輪状物に加工する。
【請求項１５】
金属をマスクの耳かけ紐がかけられるジグザグ形状部がある線状のＣ字形輪状物に加工する。
【請求項１６】
ビニールをマスクの耳かけ紐がかけられるジグザグ形状部がある線状のＣ字形輪状物に加工する。
【請求項１７】
カーボンナノチューブをマスクの耳かけ紐がかけられるジグザグ形状部がある線状のＣ字形輪状物に加工する。
【請求項１８】
グラスファイバーをマスクの耳かけ紐がかけられるジグザグ形状部がある線状のＣ字形輪状物に加工する。
【考案の詳細な説明】
【技術分野】
【０００１】本発明は、マスクを装着時に耳かけ紐によって生じる耳の傷みを防止すること及びマスクがずれるのを防止する補助具に関する。
【背景技術】
【０００２】従来のマスクは、耳かけ紐を耳にかける。（特許文献１を参照）
【先行技術文献】
【０００３】
【特許文献１】実用新案公開平６−４８６９９
【考案の概要】
【考案が解決しようとする課題】
【０００４】１）市販のマスクは、耳かけ紐を耳にかけて固定するため、長時間使用や、眼鏡との同時使用により耳に痛みを生じる。
２）耳かけ紐が緩いタイプのマスクにおいては、マスクがずれる。
３）下を向いた時、眼鏡が落ちる。
４）耳かけ紐が緩いタイプのマスクにおいては、マスクと顔の間に隙間ができる。
【課題を解決するための手段】
【０００５】１）針金・プラスチック・ゴム・シリコンゴム・樹脂・金属・ビニール・カーボンナノチューブ・グラスファイバーなどの素材で出来たジグザグ形状部がある輪状物・Ｃ字形輪状物のジグザグ形状部にマスクの耳かけ紐を、耳にかからないようにかける。
【考案の効果】
【０００６】１）市販のマスクの長時間使用や眼鏡の同時使用で生じる耳の痛みを防止。
２）耳かけ紐が緩いタイプのマスクにおいては、マスクが下にずれるのを防止。
３）下を向いた時、眼鏡が落ちるのを防止。
４）マスクと顔の間の隙間が無くなる。
【図面の簡単な説明】
【０００７】
【図１】左右側に２つずつジグザグ形状部がある線状の輪状物を利用した図
【図２】多数のジグザグ形状部がある線状の輪状物を利用した図
【図３】上辺が長いジグザグ形状部が左右側に一ずつある線状の輪状物を利用した図
【図４】左右側に２つジグザグ形状部がある線状のＣ字形輪状物を利用した図
【図５】多数のジグザグ形状部がある線状のＣ字形輪状物を利用した図
【図６】上辺が長いジグザグ形状部が左右側に一つずつある線状のＣ字形輪状物を利用した図
【考案を実施するための形態】
【０００８】針金・プラスチック・ゴム・シリコンゴム・樹脂・金属・ビニール・カーボンナノチューブ・グラスファイバーなどの素材で出来たジグザグ形状部がある線状の輪状物・Ｃ字形輪状物のジグザグ形状部を設ける。
【実施例１】
【０００９】図１・図２・図３・図４・図５・図６のように針金・プラスチック・ゴム・シリコンゴム・樹脂・金属・ビニール・カーボンナノチューブ・グラスファイバーなどの素材で出来たジグザグ形状部がある線状の輪状物・Ｃ字形輪状物のジグザグ形状部に、マスクの耳かけ紐をかける。
【産業上の利用可能性】
【００１０】本発明は、医療・食品加工業・研究などマスクを必要とする産業で利用される。
【符号の説明】
【００１１】１  マスク
２  耳かけ紐
３  針金・プラスチック・ゴム・シリコンゴム・樹脂・金属・ビニール・カーボンナノチューブ・グラスファイバーで出来た線状の輪状物
４  ジグザグ形状部
５  上辺が長いジグザグ形状部
６  針金・プラスチック・ゴム・シリコンゴム・樹脂・金属・ビニール・カーボンナノチューブ・グラスファイバーで出来た線状のＣ字形輪状物
【図１】
0003192637.tif 000003
【図２】
0003192637.tif 000004
【図３】
0003192637.tif 000005
【図４】
0003192637.tif 000006
【図５】
0003192637.tif 000007
【図６】
0003192637.tif 000008
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
マスクの耳かけ紐がかけられるジグザグ形状部があることを特徴とした針金で出来た線状の輪状物であることを特徴としたマスク装着補助器。
【請求項２】
マスクの耳かけ紐がかけられるジグザグ形状部があることを特徴としたプラスチックで出来た線状の輪状物であることを特徴としたマスク装着補助器。
【請求項３】
マスクの耳かけ紐がかけられるジグザグ形状部があることを特徴としたゴムで出来た線状の輪状物であることを特徴としたマスク装着補助器。
【請求項４】
マスクの耳かけ紐がかけられるジグザグ形状部があることを特徴としたシリコンゴムで出来た輪状物であることを特徴としたマスク装着補助器。
【請求項５】
マスクの耳かけ紐がかけられるジグザグ形状部があることを特徴とした樹脂で出来た線状の輪状物であることを特徴としたマスク装着補助器。
【請求項６】
マスクの耳かけ紐がかけられるジグザグ形状部があることを特徴とした金属の線状の輪状物であることを特徴としたマスク装着補助器。
【請求項７】
マスクの耳かけ紐がかけられるジグザグ形状部があることを特徴としたビニールで出来た線状の輪状物であることを特徴としたマスク装着補助器。
【請求項８】
マスクの耳かけ紐がかけられるジグザグ形状部があることを特徴としたカーボンナノチューブで出来た線状の輪状物であることを特徴としたマスク装着補助器。
【請求項９】
マスクの耳かけ紐がかけられるジグザグ形状部があることを特徴としたグラスファイバーで出来た線状の輪状物であることを特徴としたマスク装着補助器。
【請求項１０】
耳かけ紐がかけられるジグザグ形状部があることを特徴とした針金で出来た線状のＣ字形輪状物であることを特徴としたマスク装着補助器。
【請求項１１】
マスクの耳かけ紐がかけられるジグザグ形状部があることを特徴としたプラスチックで出来た線状のＣ字形輪状物であることを特徴としたマスク装着補助器。
【請求項１２】
マスクの耳かけ紐がかけられるジグザグ形状部があることを特徴としたゴムで出来た線状のＣ字形輪状物であることを特徴としたマスク装着補助器。
【請求項１３】
マスクの耳かけ紐がかけられるジグザグ形状部があることを特徴としたシリコンゴムで出来た線状のＣ字形輪状物であることを特徴としたマスク装着補助器。
【請求項１４】
マスクの耳かけ紐がかけられるジグザグ形状部があることを特徴とした樹脂で出来た線状のＣ字形輪状物であることを特徴としたマスク装着補助器。
【請求項１５】
マスクの耳かけ紐がかけられるジグザグ形状部があることを特徴とした金属で出来た線状のＣ字形輪状物であることを特徴としたマスク装着補助器。
【請求項１６】
マスクの耳かけ紐がかけられるジグザグ形状部があることを特徴としたビニールで出来た線状のＣ字形輪状物であることを特徴としたマスク装着補助器。
【請求項１７】
マスクの耳かけ紐がかけられるジグザグ形状部があることを特徴としたカーボンナノチューブで出来た線状のＣ字形輪状物であることを特徴としたマスク装着補助器。
【請求項１８】
マスクの耳かけ紐がかけられるジグザグ形状部があることを特徴としたグラスファイバーで出来た線状のＣ字形輪状物であることを特徴としたマスク装着補助器。